【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】  ２枚の基板の間に形成された内部空間を有する画像表示部と該画像表示部を支持する支持体とが接着部材によって接着されている画像表示装置の分解方法であって、
前記画像表示部と前記支持体とを分離する工程を有しており、該分離する工程は、前記画像表示部と前記支持体との間に物質を挿入する工程を有していることを特徴とする画像表示装置の分解方法。
【請求項２】  前記物質の挿入により、前記接着部材を切断する請求項１に記載の分解方法。
【請求項３】  前記物質が前記接着部材と接触して前記接着部材を切断する請求項２に記載の分解方法。
【請求項４】  前記物質が固体である請求項１から３のいずれか１項に記載の分解方法。
【請求項５】  前記物質が液体である請求項１から４のいずれか１項に記載の分解方法。
【請求項６】  前記物質を挿入する工程が、液体を前記接着部材に対して噴射する工程である請求項１から４のいずれか１項に記載の分解方法。
【請求項７】  前記物質は前記接着剤を軟化させる物質である請求項１に記載の分解方法。
【請求項８】  前記分離する工程は、前記表示部と前記支持体とを引き離す方向の力を前記表示部もしくは前記支持体の少なくとも一方に加える工程を有する請求項１から７のいずれか１項に記載の分解方法。
【請求項９】  画像表示部と該画像表示部を支持する支持体とが接着部材によって接着されている画像表示装置の分解方法であって、
前記画像表示部と前記支持体とを分離する工程を有しており、該分離する工程は、前記支持部材の前記画像表示部に相対する面から該面の反対側の面まで通じた開口を通して、前記画像表示部を前記支持体から離れる方向に押す工程を有していることを特徴とする画像表示装置の分解方法。
【請求項１０】  支持体の製造方法であって、
２枚の基板の間に形成された内部空間を有する画像表示部と該画像表示部を支持する支持体とが接着部材によって接着されている画像表示装置の前記画像表示部と前記支持体とを分離する工程を有しており、該分離する工程は、前記画像表示部と前記支持体との間に物質を挿入する工程を有していることを特徴とする支持体の製造方法。
【請求項１１】  画像表示部の製造方法であって、
２枚の基板の間に形成された内部空間を有する画像表示部と該画像表示部を支持する支持体とが接着部材によって接着されている画像表示装置の前記画像表示部と前記支持体とを分離する工程を有しており、該分離する工程は、前記画像表示部と前記支持体との間に物質を挿入する工程を有していることを特徴とする画像表示部の製造方法。
【請求項１２】  支持体の製造方法であって、
画像表示部と該画像表示部を支持する支持体とが接着部材によって接着されている画像表示装置の前記画像表示部と前記支持体とを分離する工程を有しており、該分離する工程は、前記支持部材の前記画像表示部に相対する面から該面の反対側の面まで通じた開口を通して、前記画像表示部を前記支持体から離れる方向に押す工程を有していることを特徴とする支持体の製造方法。
【請求項１３】  画像表示部の製造方法であって、
画像表示部と該画像表示部を支持する支持体とが接着部材によって接着されている画像表示装置の前記画像表示部と前記支持体とを分離する工程を有しており、該分離する工程は、前記支持部材の前記画像表示部に相対する面から該面の反対側の面まで通じた開口を通して、前記画像表示部を前記支持体から離れる方向に押す工程を有していることを特徴とする画像表示部の製造方法。
【請求項１４】  画像表示装置の製造方法であって、
画像表示部を準備する工程Ａと、
請求項１から９のいずれか１項に記載の分解方法によって支持体を得る工程Ｂと、
前記工程Ａで準備した画像表示部と前記工程Ｂで得た支持体とを組み合わせる工程と、
を有することを特徴とする画像表示装置の製造方法。
【請求項１５】  画像表示装置の製造方法であって、
支持体を準備する工程Ａと、
請求項１から９のいずれか１項に記載の分解方法によって画像表示部を得る工程Ｂと、
前記工程Ａで準備した支持体と前記工程Ｂで得た画像表示部とを組み合わせる工程と、
を有することを特徴とする画像表示装置の製造方法。
【請求項１６】  画像表示装置の製造方法であって、
請求項１から９のいずれか１項に記載の分解方法によって分離された画像表示部と支持体を得る工程と、
該工程で得た前記画像表示部と前記支持体とを組み合わせる工程と、
を有することを特徴とする画像表示装置の製造方法。
【請求項１７】  加工材料の製造方法であって、
請求項１から９のいずれか１項に記載の分解方法によって支持体を得る工程と、
該工程によって得た支持体を易加工化する工程と、
を有することを特徴とする加工材料の製造方法。
【請求項１８】  加工材料の製造方法であって、
請求項１から９のいずれか１項に記載の分解方法によって画像表示部を得る工程と、
該工程によって得た画像表示部を易加工化する工程と、
を有することを特徴とする加工材料の製造方法。
【請求項１９】  画像表示装置であって、
２枚の基板の間に形成された内部空間を有する画像表示部と、
該画像表示部を支持する支持体とを有しており、
前記画像表示部の外周によって形成される面と前記支持体の外周によって形成される面のうちの一方から他方への射影は略方形となっており、該略方形の領域の一部に接着部材が設けられて該接着部材によって前記画像表示部と前記支持体とは結合されており、前記略方形領域の互いに対向する２辺の内の一辺の中央部分から、他方の辺の中央部分に向かって接着部材が実質的に存在しない領域を有しており、該接着部材が実質的に存在しない領域は、前記一辺から前記２辺間の距離の２／３以上の距離まで伸びていることを特徴とする画像表示装置。
【手続補正２】
【補正対象書類名】明細書
【補正対象項目名】００１２
【補正方法】変更
【補正の内容】
【００１２】
本願にかかわる分解方法の発明の一つは、２枚の基板の間に形成された内部空間を有する画像表示部と該画像表示部を支持する支持体とが接着部材によって接着されている画像表示装置の分解方法であって、前記画像表示部と前記支持体とを分離する工程を有しており、該分離する工程は、前記画像表示部と前記支持体との間に物質を挿入する工程を有していることを特徴とする画像表示装置の分解方法である。
【手続補正３】
【補正対象書類名】明細書
【補正対象項目名】００３５
【補正方法】変更
【補正の内容】
【００３５】
また、本願は支持体の製造方法として、２枚の基板の間に形成された内部空間を有する画像表示部と該画像表示部を支持する支持体とが接着部材によって接着されている画像表示装置の前記画像表示部と前記支持体とを分離する工程を有しており、該分離する工程は、前記画像表示部と前記支持体との間に物質を挿入する工程を有していることを特徴とする支持体の製造方法を含んでいる。
【手続補正４】
【補正対象書類名】明細書
【補正対象項目名】００３６
【補正方法】変更
【補正の内容】
【００３６】
また、本願は画像表示部の製造方法として、２枚の基板の間に形成された内部空間を有する画像表示部と該画像表示部を支持する支持体とが接着部材によって接着されている画像表示装置の前記画像表示部と前記支持体とを分離する工程を有しており、該分離する工程は、前記画像表示部と前記支持体との間に物質を挿入する工程を有していることを特徴とする画像表示部の製造方法を含んでいる。
【手続補正５】
【補正対象書類名】明細書
【補正対象項目名】００４３
【補正方法】変更
【補正の内容】
【００４３】
また、本願は加工材料の製造方法として、先に述べたいずれかの分解方法によって画像表示部を得る工程と、該工程によって得た画像表示部を易加工化する工程と、を有することを特徴とする加工材料の製造方法を含んでいる。
【手続補正６】
【補正対象書類名】明細書
【補正対象項目名】００４４
【補正方法】変更
【補正の内容】
【００４４】
また本願に係る画像表示装置の発明の一つは、画像表示装置であって、２枚の基板の間に形成された内部空間を有する画像表示部と、該画像表示部を支持する支持体とを有しており、前記画像表示部の外周によって形成される面と前記支持体の外周によって形成される面うちの一方から他方への射影は略方形となっており、該略方形の領域の一部に接着部材が設けられて該接着部材によって前記画像表示部と前記支持体とは結合されており、前記略方形領域の互いに対向する２辺の内の一辺の中央部分から、他方の辺の中央部分に向かって接着部材が実質的に存在しない領域を有しており、該接着部材が実質的に存在しない領域は、前記一辺から前記２辺間の距離の２／３以上の距離まで伸びていることを特徴とする画像表示装置、である。